(57)【要約】【課題】審美性に優れる歯科インプラントを形成することができる歯科インプラント用フィクスチャーおよびそれを備える歯科インプラントを提供することである。【解決手段】略板状の連結部２と、連結部２の片面２１から延びている複数のルート部３Ａと、を備える、歯科インプラント用フィクスチャー１Ａであり、この歯科インプラント用フィクスチャー１Ａを備える歯科インプラント１０である。これらの構成によれば、優れた審美性を発揮することが可能となり、患者のクオリティ・オブ・ライフを向上させることができる。【選択図】図１
2015047195.tif 000002
【特許請求の範囲】
【請求項１】
略板状の連結部と、
前記連結部の片面から延びている複数のルート部と、を備える、歯科インプラント用フィクスチャー。
【請求項２】
前記複数のルート部が、略板状または略柱状である、請求項１に記載の歯科インプラント用フィクスチャー。
【請求項３】
前記複数のルート部がいずれも、略板状であり、かつ前記片面の縁部近傍から延びている、請求項１に記載の歯科インプラント用フィクスチャー。
【請求項４】
前記複数のルート部がいずれも、略板状であり、かつ互いに離れて位置している、請求項１または３に記載の歯科インプラント用フィクスチャー。
【請求項５】
前記複数のルート部のうち少なくとも１つは、略円柱状であり、かつ前記片面から離れるにつれて直径が小さくなっている、請求項１または２に記載の歯科インプラント用フィクスチャー。
【請求項６】
前記複数のルート部がいずれも、略柱状であり、かつ前記片面側において互いに連続している、請求項１に記載の歯科インプラント用フィクスチャー。
【請求項７】
前記複数のルート部がいずれも、略柱状であり、かつ前記片面から離れるにつれて互いの間の間隔が大きくなっている、請求項１または６に記載の歯科インプラント用フィクスチャー。
【請求項８】
前記複数のルート部の個数が、２個または３個である、請求項１〜７のいずれかに記載の歯科インプラント用フィクスチャー。
【請求項９】
前記複数のルート部のうち少なくとも１つは、前記連結部と一体に成形されている、請求項１〜８のいずれかに記載の歯科インプラント用フィクスチャー。
【請求項１０】
前記複数のルート部のうち少なくとも１つは、その先端部に位置しているテーパ部を有する、請求項１〜９のいずれかに記載の歯科インプラント用フィクスチャー。
【請求項１１】
前記複数のルート部のうち少なくとも１つは、その外周部に位置している複数の溝部を有する、請求項１〜１０のいずれかに記載の歯科インプラント用フィクスチャー。
【請求項１２】
前記複数の溝部がいずれも、前記複数のルート部の長手方向に対して略垂直に延びている、請求項１１に記載の歯科インプラント用フィクスチャー。
【請求項１３】
前記複数のルート部のうち少なくとも１つの先端部から前記連結部の他面まで貫通している貫通孔と、
先端部に位置しているスクリュー部を有し、前記スクリュー部の少なくとも一部が前記貫通孔から先方に突出するように、前記貫通孔内に収容されている略円柱状の固定用部材と、をさらに備える、請求項１〜１２のいずれかに記載の歯科インプラント用フィクスチャー。
【請求項１４】
前記貫通孔は、前記他面側に位置しているテーパ領域を有し、
前記固定用部材は、その後端部に位置しており前記テーパ領域にテーパ嵌合可能なテーパ状のヘッド部をさらに有する、請求項１３に記載の歯科インプラント用フィクスチャー。
【請求項１５】
前記連結部の他面に位置している支台部と、
前記支台部の略中央部に位置しているアバットメント連結孔と、をさらに備える、請求項１〜１４のいずれかに記載の歯科インプラント用フィクスチャー。
【請求項１６】
前記連結部の他面に位置しておりアバットメントの機能を有するポストをさらに備える、請求項１〜１４のいずれかに記載の歯科インプラント用フィクスチャー。
【請求項１７】
請求項１〜１６のいずれかに記載の歯科インプラント用フィクスチャーと、
前記連結部の他面に取り付けられる人工歯と、を備える、歯科インプラント。
【請求項１８】
前記人工歯が、人工臼歯である、請求項１７に記載の歯科インプラント。
【発明の詳細な説明】
【技術分野】
【０００１】
本発明は、歯科インプラント用フィクスチャーおよびそれを備える歯科インプラントに関する。
【背景技術】
【０００２】
従来から、歯科インプラント用フィクスチャー（以下、「フィクスチャー」と言うことがある。）を上下顎骨の歯槽骨に埋入することによって、喪失した咀嚼、嚥下および発音等の機能と口腔内の審美性とを回復させる歯科インプラント埋植手術が行われている。
【０００３】
フィクスチャーとしては、円柱状のスクリュー型が一般的である（例えば、特許文献１参照）。スクリュー型フィクスチャーは、歯槽骨に螺入することによって術中の固定を得、術後はいわゆるオッセオインテグレーション（Osseointegration）の概念によって顎骨と構造的および機能的に結合する。
【０００４】
ところで、天然の歯牙は、その機能に応じて多様な形態を有する。例えば臼歯は、食物を効率よくすり潰すために多数の咬頭を有し、すり潰し時に生じる様々な方向からの大きな咬合圧を支持するために歯槽骨に埋入される部分が複根となっている。具体例を挙げると、大臼歯では、上顎が三根、下顎が二根となっている。
【０００５】
しかし、スクリュー型フィクスチャーは、歯槽骨に埋入される部分が臼歯のように分岐しておらず円柱状であるため、臼歯等の人工歯を取り付けると、フィクスチャーの直径が歯肉縁の近傍において急激に大きくなり、天然の歯牙と異なる形状になる。また、スクリュー型フィクスチャーは、歯槽骨に埋入される部分が円柱状であるため、すり潰し時に様々な方向から大きな咬合圧が生じることになる天然の歯牙に近い形状の人工歯を取り付けると、咬合圧に長期的に耐えられないおそれがある。それゆえ、スクリュー型フィクスチャーを使用して天然の歯牙と同じような審美性を有する歯科インプラントを形成することは困難であった。
【先行技術文献】
【特許文献】
【０００６】
【特許文献１】特開２０１０−１８８０６２号公報
【発明の概要】
【発明が解決しようとする課題】
【０００７】
本発明の課題は、審美性に優れる歯科インプラントを形成することができる歯科インプラント用フィクスチャーおよびそれを備える歯科インプラントを提供することである。
【課題を解決するための手段】
【０００８】
本発明者らは、上記課題を解決すべく鋭意研究を重ねた結果、以下の構成からなる解決手段を見出し、本発明を完成するに至った。
（１）略板状の連結部と、前記連結部の片面から延びている複数のルート部と、を備える、歯科インプラント用フィクスチャー。
（２）前記複数のルート部が、略板状または略柱状である、前記（１）に記載の歯科インプラント用フィクスチャー。
（３）前記複数のルート部がいずれも、略板状であり、かつ前記片面の縁部近傍から延びている、前記（１）に記載の歯科インプラント用フィクスチャー。
（４）前記複数のルート部がいずれも、略板状であり、かつ互いに離れて位置している、前記（１）または（３）に記載の歯科インプラント用フィクスチャー。
（５）前記複数のルート部のうち少なくとも１つは、略円柱状であり、かつ前記片面から離れるにつれて直径が小さくなっている、前記（１）または（２）に記載の歯科インプラント用フィクスチャー。
（６）前記複数のルート部がいずれも、略柱状であり、かつ前記片面側において互いに連続している、前記（１）に記載の歯科インプラント用フィクスチャー。
（７）前記複数のルート部がいずれも、略柱状であり、かつ前記片面から離れるにつれて互いの間の間隔が大きくなっている、前記（１）または（６）に記載の歯科インプラント用フィクスチャー。
（８）前記複数のルート部の個数が、２個または３個である、前記（１）〜（７）のいずれかに記載の歯科インプラント用フィクスチャー。
（９）前記複数のルート部のうち少なくとも１つは、前記連結部と一体に成形されている、前記（１）〜（８）のいずれかに記載の歯科インプラント用フィクスチャー。
（１０）前記複数のルート部のうち少なくとも１つは、その先端部に位置しているテーパ部を有する、前記（１）〜（９）のいずれかに記載の歯科インプラント用フィクスチャー。
（１１）前記複数のルート部のうち少なくとも１つは、その外周部に位置している複数の溝部を有する、前記（１）〜（１０）のいずれかに記載の歯科インプラント用フィクスチャー。
（１２）前記複数の溝部がいずれも、前記複数のルート部の長手方向に対して略垂直に延びている、前記（１１）に記載の歯科インプラント用フィクスチャー。
（１３）前記複数のルート部のうち少なくとも１つの先端部から前記連結部の他面まで貫通している貫通孔と、先端部に位置しているスクリュー部を有し、前記スクリュー部の少なくとも一部が前記貫通孔から先方に突出するように、前記貫通孔内に収容されている略円柱状の固定用部材と、をさらに備える、前記（１）〜（１２）のいずれかに記載の歯科インプラント用フィクスチャー。
（１４）前記貫通孔は、前記他面側に位置しているテーパ領域を有し、前記固定用部材は、その後端部に位置しており前記テーパ領域にテーパ嵌合可能なテーパ状のヘッド部をさらに有する、前記（１３）に記載の歯科インプラント用フィクスチャー。
（１５）前記連結部の他面に位置している支台部と、前記支台部の略中央部に位置しているアバットメント連結孔と、をさらに備える、前記（１）〜（１４）のいずれかに記載の歯科インプラント用フィクスチャー。
（１６）前記連結部の他面に位置しておりアバットメントの機能を有するポストをさらに備える、前記（１）〜（１４）のいずれかに記載の歯科インプラント用フィクスチャー。
（１７）前記（１）〜（１６）のいずれかに記載の歯科インプラント用フィクスチャーと、前記連結部の他面に取り付けられる人工歯と、を備える、歯科インプラント。
（１８）前記人工歯が、人工臼歯である、前記（１７）に記載の歯科インプラント。
【発明の効果】
【０００９】
本発明によれば、優れた審美性を発揮することができ、患者のクオリティ・オブ・ライフを向上させることができるという効果がある。
【図面の簡単な説明】
【００１０】
【図１】本発明の第１実施形態に係る歯科インプラントを示す概略説明図である。
【図２】図１に示す歯科インプラントを示す断面図である。
【図３】図１に示す歯科インプラントのうち人工歯を除いた構成を示す分解斜視図である。
【図４】図１に示す歯科インプラントが備える歯科インプラント用フィクスチャーを示す図であり、（ａ）および（ｂ）は互いに異なる角度から見た斜視図である。
【図５】図１に示す歯科インプラントが備える歯科インプラント用フィクスチャーを示す図であり、（ａ）は平面図、（ｂ）は側面図、（ｃ）は底面図である。
【図６】本発明の第２実施形態に係る歯科インプラントを示す図であり、（ａ）は側面図、（ｂ）は断面図である。
【図７】図６に示す歯科インプラントが備える歯科インプラント用フィクスチャーを示す図であり、（ａ）および（ｂ）は互いに異なる角度から見た斜視図である。
【図８】図６に示す歯科インプラントが備える歯科インプラント用フィクスチャーを示す図であり、（ａ）は平面図、（ｂ）は側面図、（ｃ）は底面図である。
【図９】本発明の第３実施形態に係る歯科インプラントを示す図であり、（ａ）は側面図、（ｂ）は断面図である。
【図１０】図９に示す歯科インプラントのうち人工歯を除いた構成を示す分解斜視図である。
【図１１】図９に示す歯科インプラントが備える歯科インプラント用フィクスチャーを示す図であり、（ａ）および（ｂ）は互いに異なる角度から見た斜視図である。
【図１２】図９に示す歯科インプラントが備える歯科インプラント用フィクスチャーを示す図であり、（ａ）は平面図、（ｂ）は側面図、（ｃ）は底面図である。
【発明を実施するための形態】
【００１１】
＜歯科インプラント用フィクスチャーおよび歯科インプラント＞
（第１実施形態）
以下、本発明の第１実施形態に係るフィクスチャーおよび歯科インプラントについて、図１〜図５を参照して詳細に説明する。
【００１２】
図１に示すように、本実施形態のフィクスチャー１Ａは、後述する人工歯１１とともに歯科インプラント１０Ａを構成する部材である。本実施形態のフィクスチャー１Ａは、略板状の連結部２と、連結部２の片面２１から延びている複数のルート部３Ａと、を備えている。このような構成によれば、以下のような効果が得られる。
【００１３】
すなわち、連結部２が略板状であることから、上述した円柱状のスクリュー型フィクスチャーのように歯肉１００の歯肉縁１００ａ近傍において直径が急激に大きくなることがなく、フィクスチャー１Ａを天然の歯牙と同じように人工歯１１に向かうにつれて自然に大きくすることができ、結果として連結部２を歯肉縁１００ａ近傍における天然の歯牙と実質的に同一の寸法形状にすることができる。また、人工歯１１を、すり潰し時に様々な方向から大きな咬合圧が生じる多数の咬頭を有する形状、すなわち天然の歯牙に近い形状にしても、複数のルート部３Ａが天然の歯牙の複根と同じように機能することから、咬合圧に対する人工歯１１の支持力を長期にわたって安定して得ることができ、優れた長期固定性を発揮することが可能となる。それゆえ、本実施形態によれば、人工歯１１を天然の歯牙に近い形状にすることができ、上述した連結部２による効果と相まって、優れた審美性を発揮することが可能となり、患者のクオリティ・オブ・ライフを向上させることができる。
【００１４】
連結部２は、人工歯１１と歯槽骨１１０とを連結する部位である。本実施形態の連結部２は、略平板状であり、上述した片面２１に加えて他面２２を有する。本実施形態の片面２１は、歯槽骨１１０側に位置する面である。本実施形態の他面２２は、人工歯１１が取り付けられる面である。なお、本実施形態では、片面２１および他面２２がいずれも、略平坦状であるが、これに限定されるものではなく、片面２１および他面２２を他の形状にすることができる。具体的には、例えば片面２１を曲面状等にすることができる。
【００１５】
一方、ルート部３Ａは、歯槽骨１１０に埋入される部位である。本実施形態のルート部３Ａは、歯槽骨１１０を構成する皮質骨１１１および海綿骨１１２のうち主として海綿骨１１２に埋入される部位である。
【００１６】
本実施形態では、複数のルート部３Ａがいずれも、略板状、より具体的には略平板状である。また、フィクスチャー１Ａに天然の歯牙と同じ個数の根を付与する観点から、ルート部３Ａの個数としては、２個または３個であるのがよい。本実施形態では、ルート部３Ａの個数が２個である。
【００１７】
複数のルート部３Ａの寸法形状は、予め設計された寸法形状から選択するのがよい。このような構成によれば、術中にルート部３Ａと同じ寸法形状の手術器具、ドリル等を用いて歯槽骨１１０を掘削することができ、天然の歯牙を抜去した後の空隙に精度よくフィクスチャー１Ａを適合させてオッセオインテグレーションを得ることができる。なお、複数のルート部３Ａの寸法形状は、互いに同一であってもよいし、異なっていてもよい。本実施形態では、２個のルート部３Ａが実質的に同じ寸法形状を有する。
【００１８】
本実施形態では、長期固定性を向上させる観点から、次のような構成を有する。すなわち、本実施形態では、複数のルート部３Ａがいずれも、連結部２における片面２１の縁部近傍から延びている。また、本実施形態では、複数のルート部３Ａが、互いに離れて位置している。本実施形態では、複数のルート部３Ａのうち互いに隣り合うルート部３Ａ、３Ａの間の間隔が、天然の歯牙と実質的に同じ間隔に設定されている。
【００１９】
複数のルート部３Ａのうち少なくとも１つは、連結部２と一体に成形されているのがよい。本実施形態では、複数のルート部３Ａがいずれも、連結部２と一体に成形されている。このような構成によれば、ルート部３Ａと連結部２との接続強度が向上することから、ルート部３Ａが連結部２から脱落するのを抑制することができる。なお、ルート部３Ａは、連結部２と別部材で構成して、連結部２に取り付けることもできる。
【００２０】
複数のルート部３Ａのうち少なくとも１つは、その先端部に位置しているテーパ部３１を有するのがよい。本実施形態では、複数のルート部３Ａがいずれも、テーパ部３１を有する。このような構成によれば、天然の歯牙を抜去した後の空隙にフィクスチャー１Ａを埋入するときの埋入性を向上させることができる。本実施形態では、フィクスチャー１Ａの埋入性を向上させる観点から、図５（ｂ）、（ｃ）に示すように、複数のルート部３Ａがいずれも、その先端部において互いに対向するように位置している２個のテーパ部３１を有する。
【００２１】
複数のルート部３Ａのうち少なくとも１つは、その外周部に位置している複数の溝部３２を有するのがよい。本実施形態では、図１に示すように、複数のルート部３Ａがいずれも、複数の溝部３２を有する。このような構成によれば、複数の溝部３２の内部に歯槽骨１１０を再生させてフィクスチャー１Ａの固定性を向上させることができる。なお、本実施形態では、図５（ｂ）に示すように、複数の溝部３２がいずれも、複数のルート部３Ａの長手方向Ｘに対して略垂直に延びている。
【００２２】
本実施形態では、図３〜図５に示すように、複数のルート部３Ａがいずれも、外側面３３および内側面３４を有し、複数の溝部３２が、外側面３３および内側面３４に位置している。そして、本実施形態では、外側面３３に位置している複数の溝部３２と、内側面３４に位置している複数の溝部３２とが、互いに離れて位置しており連続していない。このような構成によれば、複数の溝部３２による効果が効率よく得られ、複数の溝部３２をルート部３Ａの外周部全面に形成する場合よりも加工コストを削減することができる。
【００２３】
本実施形態のフィクスチャー１Ａは、図２〜図５に示すように、貫通孔４および固定用部材５をさらに備えている。本実施形態の貫通孔４は、ルート部３Ａの先端部３５から連結部２の他面２２まで貫通している部位である。ルート部３Ａの先端部３５とは、ルート部３Ａの先端のみならず、その近傍の部位をも含む概念である。また、本実施形態の固定用部材５は、その先端部に位置しているスクリュー部５１を有する略円柱状の部材である。そして、本実施形態の固定用部材５は、スクリュー部５１の少なくとも一部が貫通孔４から図２の矢印Ｙに示す先方に突出するように、言い換えればスクリュー部５１の少なくとも一部がルート部３Ａの先端部３５から突出するように、貫通孔４内に収容されている。これらの構成によれば、以下のような効果が得られる。
【００２４】
すなわち、図１に示すように、固定用部材５のスクリュー部５１を歯槽骨１１０の海綿骨１１２に螺入させてフィクスチャー１Ａを歯槽骨１１０に密着固定させることができ、強固な術中固定性を得ることができる。その結果、フィクスチャー１Ａを、抜歯直後にフィクスチャーを埋植する抜歯即時埋入手術に好適に使用することができる。
【００２５】
本実施形態では、術中固定性を向上させる観点から、複数のルート部３Ａのそれぞれに貫通孔４を形成している。なお、貫通孔４は、複数のルート部３Ａのうち少なくとも１つに形成すればよい。
【００２６】
また、本実施形態では、図２および図３に示すように、固定用部材５が、その後端面に位置しておりドライバー等の工具と嵌合可能な嵌合部５２をさらに有する。このような構成によれば、ドライバー等の工具を嵌合部５２に嵌合させてスクリュー部５１を海綿骨１１２に螺入することができる。
【００２７】
本実施形態では、貫通孔４が、他面２２側に位置しているテーパ領域４１を有し、固定用部材５が、その後端部に位置しておりテーパ領域４１にテーパ嵌合可能なテーパ状のヘッド部５３をさらに有する。このような構成によれば、テーパ領域４１にヘッド部５３をテーパ嵌合させて固定用部材５を連結部２に固定することができる。なお、固定用部材５は、必要に応じて、貫通孔４から抜去することができる。固定用部材５を抜去した後の海綿骨１１２の空隙および貫通孔４には、所定の充填材を充填してもよい。
【００２８】
一方、本実施形態のフィクスチャー１Ａは、図２〜図５に示すように、連結部２の他面２２に位置している支台部６と、支台部６の略中央部に位置しているアバットメント連結孔７と、をさらに備えている。支台部６は、後述するアバットメント１２の位置決め部位として機能する。本実施形態の支台部６は、他面２２の略中央部に位置している。また、アバットメント連結孔７は、後述するアバットメントスクリュー１３によって、アバットメント１２をフィクスチャー１Ａに連結する部位として機能する。
【００２９】
本実施形態のフィクスチャー１Ａは、上述のとおり、図１に示す歯科インプラント１０Ａを構成する部材である。本実施形態の歯科インプラント１０Ａは、上述したフィクスチャー１Ａの他に、連結部２の他面２２に取り付けられる人工歯１１をさらに備えている。
【００３０】
人工歯１１としては、金属製またはセラミック製のものが挙げられる。人工歯１１は、単独型であってもよいし、連結型（ブリッジ）であってもよい。このような人工歯１１は、通常、オーダーメイドで作られる。本実施形態によれば、上述のとおり、人工歯１１を多数の咬頭を有する天然の歯牙に近い形状にして審美性の向上および咬合機能を回復させることができるとともに、円柱状のスクリュー型フィクスチャーでは審美性および長期固定性の観点から対応が困難であった人工臼歯についても十分に対応することができる。それゆえ、人工歯１１が人工臼歯であると、本実施形態の有用性が向上する。
【００３１】
本実施形態の人工歯１１は、アバットメント１２にセメント固定することによって連結部２の他面２２に取り付けられる。また、図２および図３に示すように、本実施形態のアバットメント１２は、アバットメントスクリュー１３によってフィクスチャー１Ａに連結される。したがって、本実施形態の歯科インプラント１０Ａは、上述した人工歯１１の他に、アバットメント１２およびアバットメントスクリュー１３をさらに備えている。
【００３２】
（第２実施形態）
次に、本発明の第２実施形態に係るフィクスチャーおよび歯科インプラントについて、図６〜図８を参照して詳細に説明する。なお、図６〜図８においては、上述した図１〜図５と同一の構成部分には同一の符号を付して説明は省略する場合がある。
【００３３】
図６に示すように、本実施形態のフィクスチャー１Ｂは、歯科インプラント１０Ｂを構成する部材であり、そのルート部の構成が上述した第１実施形態と異なっている。具体的に説明すると、本実施形態のフィクスチャー１Ｂは、図６〜図８に示すように、複数のルート部３Ｂを備えている。そして、本実施形態では、複数のルート部３Ｂがいずれも、略柱状、より具体的には略円柱状である。このような構成によっても、複数のルート部３Ｂが天然の歯牙の複根と同じように機能することから、上述した第１実施形態に係るフィクスチャー１Ａと同様の効果を奏する。
【００３４】
本実施形態では、複数のルート部３Ｂがいずれも、片面２１から離れるにつれて直径が小さくなっている。このような構成によれば、天然の歯牙を抜去した後の空隙にフィクスチャー１Ｂを埋入するときの埋入性を向上させることができる。
【００３５】
また、本実施形態では、複数のルート部３Ｂがいずれも、片面２１側において互いに連続している。言い換えれば、本実施形態では、複数のルート部３Ｂがいずれも、互いの基端部側において連続している。このような構成によれば、ルート部３Ｂと連結部２との境界部が肉厚になり、両者の接続強度が向上することから、ルート部３Ｂと連結部２との境界部において亀裂等の破損が発生するのを抑制することができる。
【００３６】
本実施形態では、図６（ａ）に示すように、複数のルート部３Ｂのうち互いに隣り合うルート部３Ｂ、３Ｂの間の間隔Ｌが、片面２１から離れるにつれて大きくなっている。このような構成によれば、すり潰し時に生じる様々な方向からの大きな咬合圧を分散させて人工歯１１の長期固定性を向上させることができる。
その他の構成は、上述した第１実施形態に係るフィクスチャー１Ａおよび歯科インプラント１０Ａと同様であるので、説明を省略する。
【００３７】
（第３実施形態）
次に、本発明の第３実施形態に係るフィクスチャーおよび歯科インプラントについて、図９〜図１２を参照して詳細に説明する。なお、図９〜図１２においては、上述した図１〜図８と同一の構成部分には同一の符号を付して説明は省略する場合がある。
【００３８】
図９に示すように、本実施形態のフィクスチャー１Ｃは、歯科インプラント１０Ｃを構成する部材であり、支台部およびアバットメント連結孔の構成が上述した第１、第２実施形態と異なっている。具体的に説明すると、本実施形態のフィクスチャー１Ｃは、図９〜図１２に示すように、支柱であるポスト８をさらに備えている。
【００３９】
本実施形態のポスト８は、アバットメントの機能を有する部位である。すなわち、本実施形態のポスト８は、上述した第１、第２実施形態における支台部６、アバットメント連結孔７、アバットメント１２およびアバットメントスクリュー１３が一体化された部位である。このような構成によれば、フィクスチャー１Ｃおよび歯科インプラント１０Ｃを構成する部品数を減らすことができる。なお、本実施形態のポスト８は、連結部２と一体に成形されている。
【００４０】
本実施形態では、図９および図１０に示すように、固定用部材５が、その後端部に位置している段差状のヘッド部５４をさらに有する。本実施形態のヘッド部５４は、固定用部材５の先端部よりも外径が大きく、連結部２の他面２２に当接して固定用部材５が必要以上に螺入するのを抑制するストッパーとして機能する部位である。
【００４１】
なお、本実施形態では、複数のルート部３Ｃが互いに平行に延びている。
その他の構成は、上述した第１、第２実施形態に係るフィクスチャー１Ａ、１Ｂおよび歯科インプラント１０Ａ、１０Ｂと同様であるので、説明を省略する。
【００４２】
以上、本発明に係るいくつかの実施形態について例示したが、本発明は上述した実施形態に限定されるものではなく、本発明の要旨を逸脱しない限り任意のものとすることができることは言うまでもない。
【００４３】
例えば、上述の実施形態では、複数のルート部がいずれも、略板状か、または略柱状であるが、複数のルート部は、その個数を２個としたとき、例えば一方を略板状、他方を略柱状にすることができる。すなわち、複数のルート部は、略板状および略柱状を組み合わせることができる。
【００４４】
また、上述の実施形態では、フィクスチャー１Ａ〜１Ｃに人工歯１１を取り付けているが、フィクスチャー１Ａ〜１Ｃには、人工歯１１に代えて、義歯を取り付けることもできる。義歯としては、例えば部分入れ歯または総入れ歯等のいわゆる入れ歯等が挙げられる。
【００４５】
また、上述の実施形態の構成に代えて、フィクスチャー１Ａ〜１Ｃが、貫通孔４および固定用部材５を備えていない構成にすることができる。
【符号の説明】
【００４６】
１Ａ〜１Ｃ  歯科インプラント用フィクスチャー
２  連結部
２１  片面
２２  他面
３Ａ〜３Ｃ  ルート部
３１  テーパ部
３２  溝部
３３  外側面
３４  内側面
３５  先端部
４  貫通孔
４１  テーパ領域
５  固定用部材
５１  スクリュー部
５２  嵌合部
５３  テーパ状のヘッド部
５４  段差状のヘッド部
６  支台部
７  アバットメント連結孔
８  ポスト
１０Ａ〜１０Ｃ  歯科インプラント
１１  人工歯
１２  アバットメント
１３  アバットメントスクリュー
１００  歯肉
１００ａ  歯肉縁
１１０  歯槽骨
１１１  皮質骨
１１２  海綿骨
【図１】
2015047195.tif 000003
【図２】
2015047195.tif 000004
【図３】
2015047195.tif 000005
【図４】
2015047195.tif 000006
【図５】
2015047195.tif 000007
【図６】
2015047195.tif 000008
【図７】
2015047195.tif 000009
【図８】
2015047195.tif 000010
【図９】
2015047195.tif 000011
【図１０】
2015047195.tif 000012
【図１１】
2015047195.tif 000013
【図１２】
2015047195.tif 000014